(57)【特許請求の範囲】
【請求項１】
略水平方向に回転する回転ドラムと、前記回転ドラムを内包する水槽と、前記回転ドラムを回転駆動するモータと、一端が前記水槽に開口して設けた吸い込み口に連接された排気ホースと、前記排気ホースの他端が下部に連接されることで前記水槽内と連通し前記水槽内から吸い込んだ熱風の除湿を行う熱交換器と、送風手段および加熱手段を駆動することで前記水槽内から吸い込んだ熱風を前記排気ホース、前記熱交換器、前記送風手段および前記加熱手段を介して前記水槽内に循環させる一連の経路と、前記水槽内に給水する給水手段と、前記水槽内の水位を検知する水位検知手段と、洗濯、すすぎ、脱水、乾燥行程を制御する制御手段とを備え、前記制御手段は、すすぎ行程において、前記給水手段を制御して前記水槽内の水が前記吸い込み口から前記排気ホースに至る高さまで給水し、前記モータを駆動して前記回転ドラムを正反転させるようにし、前記吸い込み口における水位が上がる方向に前記回転ドラムを回転させたとき、前記送風手段を駆動し、前記吸い込み口における水位が下がる方向に前記回転ドラムを回転させたとき、前記送風手段の駆動を停止するようにしたドラム式洗濯乾燥機。
【発明の詳細な説明】
【０００１】
【発明の属する技術分野】
本発明は、略水平方向に回転自在に配設した回転ドラム内で洗濯、すすぎ、脱水、乾燥などの各行程を逐次制御するドラム式洗濯乾燥機に関するものである。
【０００２】
【従来の技術】
従来、この種のドラム式洗濯乾燥機は図７および図８に示すように構成していた。以下、その構成について説明する。
【０００３】
図に示すように、回転ドラム１は、外周部に多数の通水孔２を全面に設け、水槽３内に回転自在に配設している。回転ドラム１の回転中心に略水平方向に設けた回転軸４の一端を固定し、回転軸４の他端にドラムプーリー５を固定している。モータ６は、ベルト７によりドラムプーリー５と連結し、回転ドラム１を回転駆動する。回転ドラム１の開口部に蓋８を開閉自在に設けている。
【０００４】
水槽３は、洗濯機本体９よりばね体１０で吊り下げ、防振ダンパー１１により制振支持するとともに、脱水時の振動を低減するバランサー１２を設けている。ヒータ１３は、水槽３内の洗濯水を加熱するものである。
【０００５】
熱交換器１４は排気ホース１５を介して水槽３内に連通しており、この熱交換器１４と連通した送風ファン１６を設け、送風ファン１６と連通し、水槽３内に開口して温風ヒータ１７を設けている。熱交換器１４内にリブ１８を設けるとともに、冷却水の温度を検知する温度検知手段１９を設けている。温度ヒューズ２０は、温度過昇を防止するものである。
【０００６】
第１の給水弁２１は、洗濯またはすすき行程で水槽３内へ水を供給するものであり、第２の給水弁２２は、乾燥行程で熱交換器１４内へ冷却水を供給する。排水ポンプ２３は水槽３内の水を排水するものである。
【０００７】
制御装置２４は、モータ６、ヒータ１３、送風ファン１６、温風ヒータ１７、第１の給水弁２１、第２の給水弁２２、排水ポンプ２３などの動作を制御し、洗濯、すすぎ、脱水、乾燥などの各行程を逐次制御するものである。
【０００８】
上記構成において動作を説明すると、蓋８を開いて回転ドラム１内に洗濯物を投入し、運転を開始すると、洗濯行程に入り第１の給水弁２１が開き、所定の水位まで給水されると第１の給水弁２１が閉まり、回転ドラム１はモータ６によって低速で回転駆動され、回転ドラム１内の洗濯物は持ち上げられて水面上に落下される。こうして洗濯行程が進行する。洗濯行程の後、排水ポンプ２３を駆動して水槽３内の洗濯水を排水し、すすぎ行程に入る。
【０００９】
すすぎ行程では、洗濯行程と同様の動作を行うためすすぎと中間脱水との組み合わせを複数回行う。中間脱水では、回転ドラム１は高速で回転駆動され、洗濯物は遠心脱水される。このとき、回転ドラム１内の洗濯物の片寄り、すなわちアンバランスが生じると、回転ドラム１および水槽３は振動するが、防振ダンパー１１により振動を減衰させ、水槽３の過度の振動を防いでいる。
【００１０】
すすぎ行程の後の脱水行程でも、中間脱水と同様に、回転ドラム１は高速で回転駆動され、洗濯物は遠心脱水される。このとき、回転ドラム１内の洗濯物の片寄り、すなわちアンバランスが生じると、回転ドラム１および水槽３は振動するが、防振ダンパー１１により振動を減衰させ、水槽３の過度の振動を防いでいる。
【００１１】
その後、乾燥行程では、送風ファン１６および温風ヒータ１７を駆動し、水槽３、熱交換器１４を通過する一連の経路を熱風が循環する。さらに第２の給水弁２２を動作させて熱交換器１４内に給水し、リブ１９の端面から冷却水が風に吹かれて飛散し、湿った熱風と接触し、熱交換して除湿を行う。
【００１２】
【発明が解決しようとする課題】
このような従来の構成において、乾燥行程中に衣類から発生したリントは、熱交換器１４内で冷却水によって洗い流される構成であるが、獣毛や綿等が著しく付着した衣類の場合、排気ホース１５や冷却水飛散用のリブ１８および熱交換器１４内に堆積し、循環風の流れを阻害し、温風ヒータ１７の温度過昇を引き起こしていた。これによって温度ヒューズ２０が切れ、製品の故障を起こす原因となる場合があった。
【００１３】
本発明は上記従来の課題を解決するもので、乾燥行程にて排気ホース、熱交換器などに付着したリントをすすぎ行程で洗い流し、乾燥行程での循環風の流れを阻害しないようにすることを目的としている。
【００１４】
【課題を解決するための手段】
本発明は上記目的を達成するために、略水平方向に回転する回転ドラムを内包する水槽と、回転ドラムを回転駆動するモータと、一端が水槽に開口して設けた吸い込み口に連接された排気ホースと、排気ホースの他端が下部に連接されることで水槽内と連通し水槽内から吸い込んだ熱風の除湿を行う熱交換器と、送風手段および加熱手段を駆動することで水槽内から吸い込んだ熱風を排気ホース、熱交換器、送風手段および加熱手段を介して水槽内に循環させる一連の経路と、水槽内に給水する給水手段と、水槽内の水位を検知する水位検知手段と、洗濯、すすぎ、脱水、乾燥行程を制御する制御手段とを備え、制御手段は、すすぎ行程において、給水手段を制御して水槽内の水が吸い込み口から排気ホースに至る高さまで給水し、モータを駆動して回転ドラムを正反転させるようにし、吸い込み口における水位が上がる方向に回転ドラムを回転させたとき、送風手段を駆動し、吸い込み口における水位が下がる方向に回転ドラムを回転させたとき、送風手段の駆動を停止するようにしたものである。
【００１５】
これにより、乾燥行程にて排気ホース、熱交換器などに付着したリントをすすぎ行程で洗い流すことができ、乾燥行程での循環風の流れを阻害しないようにすることができる。
【００１６】
【発明の実施の形態】
本発明の請求項１に記載の発明は、略水平方向に回転する回転ドラムと、前記回転ドラムを内包する水槽と、前記回転ドラムを回転駆動するモータと、一端が前記水槽に開口して設けた吸い込み口に連接された排気ホースと、前記排気ホースの他端が下部に連接されることで前記水槽内と連通し前記水槽内から吸い込んだ熱風の除湿を行う熱交換器と、送風手段および加熱手段を駆動することで前記水槽内から吸い込んだ熱風を前記排気ホース、前記熱交換器、前記送風手段および前記加熱手段を介して前記水槽内に循環させる一連の経路と、前記水槽内に給水する給水手段と、前記水槽内の水位を検知する水位検知手段と、洗濯、すすぎ、脱水、乾燥行程を制御する制御手段とを備え、前記制御手段は、すすぎ行程において、前記給水手段を制御して前記水槽内の水が前記吸い込み口から前記排気ホースに至る高さまで給水し、前記モータを駆動して前記回転ドラムを正反転させるようにし、前記吸い込み口における水位が上がる方向に前記回転ドラムを回転させたとき、前記送風手段を駆動し、前記吸い込み口における水位が下がる方向に前記回転ドラムを回転させたとき、前記送風手段の駆動を停止するようにしたものであり、すすぎ行程で送風手段を駆動することにより熱交換器内の水を飛散させ、同時に回転ドラムのポンプ効果により、熱交換器内の水位を回転方向に応じて上下に変動させる。水槽内に開口した熱交換器吸い込み口の水位が吸い込み口が水没する位置までくると、送風手段の吸い込み側に位置した熱交換器内が閉じられ負圧となり、熱交換器内の水位が引き上げられ、更に上昇する。つぎに回転ドラムは停止から水位を引き下げる方向の回転になると、送風手段の駆動を停止することによって、回転ドラムの引き込み側のポンプ効果と、高水位からの位置エネルギーが加算され、熱交換器内に付着したリントをはぎ取り、さらに洗い流す力が起こり、リントは水位の急激な下降とともに水槽内に引き込まれて洗い流すことができ、乾燥行程での循環風の流れを阻害しないようにすることができる。
【００１７】
【実施例】
以下、本発明の実施例について、図面を参照しながら説明する。なお、従来例と同じ構成のものは同一符号を付して説明を省略する。
【００１８】
（実施例１）
図１に示すように、制御装置２５は、モータ６、ヒータ１３、送風ファン（送風手段）１６、温風ヒータ（加熱手段）１７、第１の給水弁（給水手段）２１、第２の給水弁２２、排水ポンプ２３などの動作を制御し、洗濯、すすぎ、脱水、乾燥などの各行程を逐次制御するもので、図２に示すように構成している。
【００１９】
制御手段２６は、マイクロコンピュータで構成し、双方向性サイリスタなどで構成したパワースイッチング手段２７を介して、モータ６、ヒータ１３、送風ファン１６、温風ヒータ１７、第１の給水弁２１、第２の給水弁２２、排水ポンプ２３などの動作を制御し、洗濯、すすぎ、脱水、乾燥の各行程を逐次制御する。
【００２０】
入力設定手段２８は、使用者が必要な設定コース、動作のスタートなどを入力するもので、制御手段２６に入力している。表示手段２９は、入力設定手段２８による設定内容、動作状態などを表示する。水位検知手段３０は、水槽３内の水位を検知し、水温検知手段３１は、水槽３内の水温を検知して、それぞれ制御手段２６に入力している。
【００２１】
温度検知手段１９は、サーミスタで構成し、熱交換器１４内に設けて冷却水の温度を検知し、乾燥を検知するものであり、制御手段２６に入力している。温度ヒューズ２０は温風ヒータ１７の温度過昇防止をするもので、温風ヒータ１７に直列に接続している。なお、図２には図示していないが、温度ヒューズ２０が動作したとき、温風ヒータ１７が遮断されたことを制御手段２６に入力して動作を停止するようにしている。
【００２２】
記憶手段３２は、制御手段２６により洗濯、すすぎ、脱水、乾燥の各行程を逐次制御するのに必要なデータを記憶している。なお、３３は電源スイッチ、３４は商用電源である。
【００２３】
また、制御手段２６は、すすぎ行程で送風ファン１６を駆動し、水槽３内に開口した熱交換器１４の吸い込み側の水位が回転ドラム１の回転によって下がろうとするとき、送風ファン１６の駆動を停止するようにしている。他の構成は従来例と同じである。
【００２４】
上記構成において動作を説明すると、乾燥行程で、送風ファン１６および温風ヒータ１７を駆動し、水槽３、熱交換器１４を通過する一連の経路を熱風を循環させると、獣毛や綿等が著しく付着した衣類を乾燥した場合、乾燥行程中に衣類から抜け落ちて発生したリントは、排気ホース１５や熱交換器１４の内部に堆積する場合がある。
【００２５】
このため、すすぎ行程で送風ファン１６を駆動すると、熱交換器１４内の水は飛散し、このとき同時に、回転ドラム１のポンプ効果により、熱交換器１４内の水位は回転方向に応じて上下に変動する。水槽３内に開口した熱交換器１４の吸い込み口３５の水位が、図３に示すように、吸い込み口３５が水没する位置までくると、送風ファン１６の吸い込み側に位置した熱交換器１４が閉じられ負圧となり、熱交換器１４内の水位は、点線の矢印で示すように、引き上げられて更に上昇する。
【００２６】
つぎに、回転ドラム１は停止から水位を引き下げる方向の回転になる。このとき、送風ファン１６の駆動を停止することによって、回転ドラム１の引き込み側のポンプ効果と、高水位からの位置エネルギーが加算され、熱交換器１４内に付着したリント３６をはぎ取り、洗い流す力が起こり、リント３６は、実線の矢印で示すように、水位の急激な下降とともに水槽３内に引き込まれる。
【００２７】
これによって、乾燥行程時に排気ホース１５および熱交換器１４の内部に付着したリント３５をきわめて効果的に洗い流すことができ、乾燥行程での循環風の流れを阻害しないようにすることができる。
【００２８】
（実施例２）
図４に示すように、水槽３内に開口した送風吸い込み部３７に櫛状のフィルター３８を設け、このフィルター３８は、回転ドラム１の回転方向と目の方向を同じとしている。他の構成は上記実施例１と同じである。
【００２９】
上記構成において動作を説明すると、乾燥行程中に発生したリント３６は、送風吸い込み部３７に集まり、ここに設けたフィルター３８に捕集される。この捕集されたリント３６は、つぎの洗濯、すすぎ行程にて、回転ドラム１が、実線矢印で示すように、フィルター３８の櫛目に沿った方向に回転し、そのときの激しい水流（点線矢印）によって、フィルター３８に絡まって付着したリント３６は櫛の目に沿って簡単に離脱され、洗い流される。
【００３０】
これによって、乾燥行程時に排気ホース１５および熱交換器１４の内部に付着したリント３５をきわめて効果的に洗い流すことができ、乾燥行程での循環風の流れを阻害しないようにすることができる。
【００３１】
（実施例３）
図５に示すように、熱交換器３９は、外部から簡単な操作で開閉できるふた４０を取り付けている。他の構成は上記実施例１と同じである。
【００３２】
上記構成において動作を説明すると、乾燥行程中に発生したリント３６は、熱交換器３９の内部に堆積する。このリント３６は、乾燥終了時にふた４０を開けるだけで簡単に除去することができ、つぎの乾燥行程での循環風の流れを阻害しないようにすることができる。
【００３３】
（実施例４）
図６に示すように、熱交換器４１は、内部に冷却水の温度を検知する温度検知手段１９を設け、この温度検知手段１９に向かって傾斜させたリブ４２を設けている。他の構成は上記実施例１と同じである。
【００３４】
上記構成において動作を説明すると、乾燥行程中に発生したリント３６は、熱交換器４１の内部に堆積する。このリント３６は、リブ４２の上に乗らずに傾斜に沿って冷却水とともに流れ落ちて除去することができ、乾燥行程での循環風の流れを阻害しないようにすることができる。
【００３５】
【発明の効果】
以上のように本発明の請求項１に記載の発明によれば、略水平方向に回転する回転ドラムと、前記回転ドラムを内包する水槽と、前記回転ドラムを回転駆動するモータと、一端が前記水槽に開口して設けた吸い込み口に連接された排気ホースと、前記排気ホースの他端が下部に連接されることで前記水槽内と連通し前記水槽内から吸い込んだ熱風の除湿を行う熱交換器と、送風手段および加熱手段を駆動することで前記水槽内から吸い込んだ熱風を前記排気ホース、前記熱交換器、前記送風手段および前記加熱手段を介して前記水槽内に循環させる一連の経路と、前記水槽内に給水する給水手段と、前記水槽内の水位を検知する水位検知手段と、洗濯、すすぎ、脱水、乾燥行程を制御する制御手段とを備え、前記制御手段は、すすぎ行程において、前記給水手段を制御して前記水槽内の水が前記吸い込み口から前記排気ホースに至る高さまで給水し、前記モータを駆動して前記回転ドラムを正反転させるようにし、前記吸い込み口における水位が上がる方向に前記回転ドラムを回転させたとき、前記送風手段を駆動し、前記吸い込み口における水位が下がる方向に前記回転ドラムを回転させたとき、前記送風手段の駆動を停止するようにしたから、すすぎ行程で送風手段の駆動、停止を熱交換器内の水位の変動と呼応して行うことによって、熱交換器内にたまったリントを効果的に洗い流すことができ、堆積したリントが循環風の流れを阻害し、製品の故障となる原因となることがなくなり、信頼性の高いドラム式洗濯乾燥機を提供することができる。
【図面の簡単な説明】
【図１】  本発明の第１の実施例のドラム式洗濯乾燥機の一部切欠した斜視図
【図２】  同ドラム式洗濯乾燥機のブロック回路図
【図３】  同ドラム式洗濯乾燥機の動作状態を示す要部拡大断面図
【図４】  本発明の第２の実施例のドラム式洗濯乾燥機の動作状態を示す一部切欠した斜視図
【図５】  本発明の第３の実施例のドラム式洗濯乾燥機の動作状態を示す一部切欠した側面図
【図６】  本発明の第４の実施例のドラム式洗濯乾燥機の動作状態を示す一部切欠した斜視図
【図７】  従来のドラム式洗濯乾燥機の断面図
【図８】  同ドラム式洗濯乾燥機の一部切欠した斜視図
【符号の説明】
１  回転ドラム
３  水槽
１４  熱交換器
１５  排気ホース
１６  送風ファン（送風手段）
１７  温風ヒータ（加熱手段）
２１  第１の給水弁（給水手段）
２６  制御手段
３０  水位検知手段
【図１】
0003807099.tif 000002
【図２】
0003807099.tif 000003
【図３】
0003807099.tif 000004
【図４】
0003807099.tif 000005
【図５】
0003807099.tif 000006
【図６】
0003807099.tif 000007
【図７】
0003807099.tif 000008
【図８】
0003807099.tif 000009